(57)【要約】【課題】レンズカバーを閉じたときでも保持機構がボディの内部に食い込まないようにし、ボディの薄型化を図る。【解決手段】前部キャビネット３４と、前部キャビネット３４の表面側に設けられ、前部キャビネット３４のレンズに対する光の入射部分を開閉するためのカバー部３１と、前部キャビネット３４の裏面側に設けられ、カバー部３１を前部キャビネット３４の表面にそって移動できるようにするためのスライダ３３と、カバー部３１とスライダ３３との間に設けられ、前部キャビネット３４の表面に垂直な方向に変形可能な板バネ３３ａと、前部キャビネット３４の裏面側に設けられ、スライダ３３を移動可能に保持するとともに、スライダ３３の移動位置にかかわらず、スライダ３３と前部キャビネット３４との間隔を一定範囲内に維持するためのスライダ押さえ３６とを備える。【選択図】図４
2010210936.tif 000002
【特許請求の範囲】
【請求項１】
撮像用のレンズに対する光の入射側に配置される前部キャビネットと、
前記前部キャビネットの表面側に設けられ、前記前部キャビネットの前記レンズに対する光の入射部分を開閉するためのカバー部と、
前記前部キャビネットの裏面側に設けられ、前記カバー部を前記前部キャビネットの表面にそって移動できるようにするためのスライダと、
前記カバー部と前記スライダとの間に設けられ、前記前部キャビネットの表面に垂直な方向に変形可能なバネと、
前記前部キャビネットの裏面側に設けられ、前記スライダを移動可能に保持するとともに、前記スライダの移動位置にかかわらず、前記スライダと前記前部キャビネットとの間隔を一定範囲内に維持するためのスライダ保持部と
を備えるレンズカバー。
【請求項２】
請求項１に記載のレンズカバーにおいて、
前記前部キャビネットは、
前記カバー部によって開閉される開閉前面と、
前記開閉前面の表面から前記カバー部の厚さに合わせて突出する非開閉前面と
を有し、
前記カバー部は、前記開閉前面を閉じたときに、前記カバー部の表面と前記非開閉前面の表面とが同一平面になるように設けられている
レンズカバー。
【請求項３】
請求項１に記載のレンズカバーにおいて、
前記前部キャビネットは、
前記カバー部によって開閉される開閉前面と、
前記開閉前面の表面から前記カバー部の厚さに合わせて突出する非開閉前面と
を有し、
前記カバー部によって前記開閉前面を開けたときに、前記非開閉前面の上に前記カバー部の一部が重なるように前記カバー部をガイドするためのカバーガイドを備える
レンズカバー。
【請求項４】
請求項１に記載のレンズカバーにおいて、
前記バネは、前記前部キャビネットの表面に平行な方向に変形せず、前記前部キャビネットの表面に垂直な方向にのみ変形する板バネである
レンズカバー。
【請求項５】
請求項１に記載のレンズカバーにおいて、
前記前部キャビネットと前記スライダとの間に設けられ、前記カバー部を開位置又は閉位置で維持するためのトグルバネを備える
レンズカバー。
【請求項６】
請求項１に記載のレンズカバーにおいて、
前記スライダは、ガイドピンを有し、
前記スライダ保持部は、前記ガイドピンを直線的にガイドするためのガイド穴を有する
レンズカバー。
【請求項７】
撮像用のレンズと、
前記レンズに対する光の入射側に配置される前部キャビネットと、
前記前部キャビネットの表面側に設けられ、前記前部キャビネットの前記レンズに対する光の入射部分を開閉するためのカバー部と、
前記前部キャビネットの裏面側に設けられ、前記カバー部を前記前部キャビネットの表面にそって移動できるようにするためのスライダと、
前記カバー部と前記スライダとの間に設けられ、前記前部キャビネットの表面に垂直な方向に変形可能なバネと、
前記前部キャビネットの裏面側に設けられ、前記スライダを移動可能に保持するとともに、前記スライダの移動位置にかかわらず、前記スライダと前記前部キャビネットとの間隔を一定範囲内に維持するためのスライダ保持部と
を備える撮像装置。
【発明の詳細な説明】
【技術分野】
【０００１】
本発明は、撮像用のレンズに対する光の入射部分を開閉するためのレンズカバー及び撮像装置に関する。
【背景技術】
【０００２】
デジタルスチルカメラやデジタルビデオカメラ等の撮像装置は、従来から、外装を構成するボディの前面側に撮像用のレンズを設け、このレンズによって被写体像を結像させている。そして、レンズの後部に配置されたＣＣＤ（Charge Coupled Device Image Sensor）イメージセンサやＣＭＯＳ（Complementary Metal Oxide Semiconductor ）イメージセンサ等の撮像素子によって画像を形成している。
【０００３】
ここで、レンズ等を保護するため、ボディの前面側に開閉可能なレンズカバーを設ける技術が知られている。このようなレンズカバーは、閉じたときにレンズを覆って保護し、開けたときにレンズを露出させて撮影が可能となるように、保持機構によって移動可能に保持されている。この保持機構は、例えば、レンズカバーの内面から左右方向又は上下方向に向かうガイドピンを突設し、ボディに設けたガイド溝によってガイドピンを案内するようになっている。そして、レンズカバーを開けると、レンズカバーがボディの前面から繰り出すように移動してレンズを露出させる。逆に、レンズカバーを閉じると、レンズカバーがボディの前面とほぼ同一面を形成してレンズを覆い、レンズを保護するようになる（例えば、特許文献１参照）。
【先行技術文献】
【特許文献】
【０００４】
【特許文献１】特開２００２−７２２９０号公報
【発明の概要】
【発明が解決しようとする課題】
【０００５】
しかし、上記の特許文献１の技術では、レンズカバーを開けたときに、レンズカバーの保持機構がボディの前方に繰り出し、逆に、レンズカバーを閉じたときは、保持機構がボディの内部に食い込んでしまう。そのため、内部に食い込んだ保持機構の退避スペースを確保しなければならず、保持機構の退避スペースが必要な分だけボディが厚くなってしまっていた。
【０００６】
したがって、本発明が解決しようとする課題は、レンズカバーを閉じたときでも保持機構がボディの内部に食い込まないようにし、ボディの薄型化を図ることである。
【課題を解決するための手段】
【０００７】
本発明は、以下の解決手段により、上述の課題を解決する。
本発明の請求項１に記載の発明は、撮像用のレンズに対する光の入射側に配置される前部キャビネットと、前記前部キャビネットの表面側に設けられ、前記前部キャビネットの前記レンズに対する光の入射部分を開閉するためのカバー部と、前記前部キャビネットの裏面側に設けられ、前記カバー部を前記前部キャビネットの表面にそって移動できるようにするためのスライダと、前記カバー部と前記スライダとの間に設けられ、前記前部キャビネットの表面に垂直な方向に変形可能なバネと、前記前部キャビネットの裏面側に設けられ、前記スライダを移動可能に保持するとともに、前記スライダの移動位置にかかわらず、前記スライダと前記前部キャビネットとの間隔を一定範囲内に維持するためのスライダ保持部とを備えるレンズカバーである。
また、本発明の請求項７に記載の発明は、撮像用のレンズと、上記のようなレンズカバーとを備える撮像装置である。
【０００８】
（作用）
上記の請求項１及び請求項７に記載の発明は、カバー部を前部キャビネットの表面にそって移動できるようにするためのスライダを備えている。そのため、カバー部は、スライダにより、前部キャビネットのレンズに対する光の入射部分を開閉できる。そして、カバー部とスライダとの間には、前部キャビネットの表面に垂直な方向に変形可能なバネが設けられている。また、スライダを移動可能に保持するとともに、スライダの移動位置にかかわらず、スライダと前部キャビネットとの間隔を一定範囲内に維持するためのスライダ保持部を備えている。そのため、前部キャビネットの前方に繰り出したカバー部を閉じても、バネの変形とスライダ保持部とにより、スライダが内部に食い込むことはない。
【発明の効果】
【０００９】
本発明によれば、カバー部を閉じてもスライダが内部に食い込まない。そのため、カバー部を閉じたときのスライダの退避スペースが不要となり、薄型化を図ることができるようになる。
【図面の簡単な説明】
【００１０】
【図１】本発明の撮像装置の一実施形態としての、デジタルスチルカメラの前面側を示す斜視図である。
【図２】本発明の撮像装置の一実施形態としての、デジタルスチルカメラの後面側を示す斜視図である。
【図３】本発明の撮像装置の一実施形態としての、デジタルスチルカメラの構成を示すブロック図である。
【図４】本発明のレンズカバーの一実施形態としての、レンズカバーの構成を示す分解斜視図である。
【図５】本発明のレンズカバーの一実施形態としての、レンズカバーにおけるカバー部を示す斜視図である。
【図６】本発明のレンズカバーの一実施形態としての、レンズカバーの閉状態を示す背面図である。
【図７】本発明のレンズカバーの一実施形態としての、レンズカバーの開状態を示す背面図である。
【図８】本発明のレンズカバーの一実施形態としての、レンズカバーにおけるカバー部の閉位置を示す断面図である。
【図９】本発明のレンズカバーの一実施形態としての、レンズカバーにおけるカバー部の中間位置を示す断面図である。
【図１０】本発明のレンズカバーの一実施形態としての、レンズカバーにおけるカバー部の開位置を示す断面図である。
【図１１】本発明のレンズカバーの一実施形態としての、レンズカバーにおけるスライダの側面図である。
【図１２】本発明のレンズカバーの一実施形態としての、レンズカバーにおけるスライダの断面図である。
【発明を実施するための形態】
【００１１】
以下、図面を参照して、本発明を実施するための形態について説明する。
ここで、本発明における撮像装置は、以下の実施の形態では、デジタルスチルカメラ１０であるとする。また、本発明におけるレンズカバーは、以下の実施の形態では、デジタルスチルカメラ１０のレンズカバー３０であるとする。
【００１２】
［撮像装置の外観例］
図１は、本発明の撮像装置の一実施形態としての、デジタルスチルカメラ１０の前面側を示す斜視図である。
また、図２は、本発明の撮像装置の一実施形態としての、デジタルスチルカメラ１０の後面側を示す斜視図である。
図１に示すように、デジタルスチルカメラ１０は、外装を構成するボディ１１を備えている。このボディ１１は、前後方向に厚さがあり、上下方向の高さは、厚さよりも大きい寸法となっている。また、左右方向の幅は、高さよりも大きい寸法となっており、全体として直方体状に形成されている。
【００１３】
ここで、ボディ１１は、被写体側に向かい、レンズカバー３０によって矢印のように開閉される開閉前面１１ａを有している。また、開閉前面１１ａの表面からレンズカバー３０の厚さに合わせて突出する非開閉前面１１ｂを有している。さらにまた、撮影者側の後面１１ｃと、シャッターボタン１４等が配置された上面１１ｄと、左右の側面１１ｅとを有している。
【００１４】
このようなボディ１１の内部には、向かって右寄りに二点鎖線で示すレンズ鏡筒２０が組み込まれている。このレンズ鏡筒２０内には、撮影光学系が収容されており、撮影光学系の最も前方には、撮像用のレンズ２１が設けられている。そして、レンズ２１は、ボディ１１の開閉前面１１ａの上部に形成された開口内に位置するようになっている。
なお、レンズ鏡筒２０は、ズーム率が可変の撮影光学系となっている。そして、レンズ２１の後方に位置して光路を９０度下方に屈曲させるプリズムや、プリズムの下方の光路に沿って配置された複数のレンズ、光路上に配置された絞り機構等によって構成されている。
【００１５】
また、レンズ２１の向かって左隣には、照明用の補助光（閃光）を出射するフラッシュ１２及びＡＦ（Auto Focus）用の補助光を照射する補助光発光部１３が設けられている。そして、レンズ２１、フラッシュ１２、及び補助光発光部１３は、ボディ１１に対して上下にスライド可能に保持されたレンズカバー３０によって開閉する。
具体的には、レンズカバー３０を下方にスライドさせた開状態では、非開閉前面１１ｂの上にレンズカバー３０の下部が重なるようになり、開閉前面１１ａのレンズ２１、フラッシュ１２、及び補助光発光部１３が露出する。そのため、撮影者は、シャッターボタン１４を押して撮影を行うことができる。
一方、レンズカバー３０を上方にスライドさせた閉状態では、レンズカバー３０の表面と非開閉前面１１ｂの表面とが同一平面になる。そして、開閉前面１１ａのレンズ２１、フラッシュ１２、及び補助光発光部１３がレンズカバー３０によって覆われ、保護されるようになる。
【００１６】
さらにまた、ボディ１１の後面１１ｃには、図２に示すように、向かって左上に、操作スイッチ１５が設けられている。この操作スイッチ１５は、撮影モードや再生モードの切替え等の各種の操作を行なう際に撮影者が操作するスイッチである。さらに、向かって右上には、撮影光学系のズーム率を望遠側（テレ側）に調整する望遠スイッチ１６と、ズーム率を広角側（ワイド側）に調整する広角スイッチ１７とが上下に並べられて設けられている。そして、後面１１ｃの中央部には、撮影した画像等を表示するディスプレイ１８が設けられている。
【００１７】
［撮像装置の構成例］
図３は、本発明の撮像装置の一実施形態としての、デジタルスチルカメラ１０の構成を示すブロック図である。
図３に示すように、デジタルスチルカメラ１０には、レンズ２１を備えるレンズ鏡筒２０が組み込まれている。また、デジタルスチルカメラ１０は、撮像素子２２、画像処理部２３、表示処理部２４、制御部２５等を備えている。
【００１８】
ここで、レンズ鏡筒２０に入り、レンズ２１を通過した入射光（被写体像）は、撮像素子２２上に結像する。この撮像素子２２は、例えば、ＣＣＤ（Charge Coupled Device ）イメージセンサ、ＣＭＯＳ（Complementary Metal Oxide Semiconductor ）イメージセンサ等である。そして、撮像素子２２によって光電変換され、出力された撮像信号は、画像処理部２３によって画像データとなり、この画像データは、メモリカード等の記録媒体２６に記録される。また、画像データは、表示処理部２４によってディスプレイ１８に表示される。
なお、画像処理部２３及び表示処理部２４は、ＣＰＵ等を含む制御部２５により、各種スイッチ２７（図１に示すシャッターボタン１４、図２に示す操作スイッチ１５等）の操作に応じて制御される。
【００１９】
［レンズカバーの構成例］
図４は、本発明のレンズカバーの一実施形態としての、レンズカバー３０の構成を示す分解斜視図である。
また、図５は、本発明のレンズカバーの一実施形態としての、レンズカバー３０におけるカバー部３１を示す斜視図である。
図４に示すように、レンズカバー３０は、レンズ２１（図１参照）に対する光の入射側に配置される前部キャビネット３４を有している。この前部キャビネット３４は、ボディ１１（図１参照）の前面側を構成する前面と、前面の周囲から後方に起立する４つの側面とを備えている。
【００２０】
また、前部キャビネット３４の表面側には、カバー部３１が設けられている。そして、前部キャビネット３４のレンズ２１（図１参照）に対する光の入射部分（図１に示す開閉前面１１ａ）がカバー部３１によって開閉されるようになっている。そのため、カバー部３１の裏面には、カバー部３１を支持するフレーム３２と、カバー部３１を上下方向にスライドさせるためのスライダ３３とが取り付けられている。
【００２１】
ここで、スライダ３３は、開口部３４ａを通して前部キャビネット３４の裏面側に設けられる。そして、カバー部３１を前部キャビネット３４の表面にそって移動できるようにする。
具体的には、スライダ３３のガイドピン３３ｂがスライダ押さえ３６（本発明におけるスライダ保持部に相当）のガイド穴３６ａにはまり込む。このガイド穴３６ａは、ガイドピン３３ｂを直線的にガイドするように形成されている。また、スライダ３３には、図５に示すように、ガイドピン３３ｃも設けられている。そして、このガイドピン３３ｃは、前部キャビネット３４（図４参照）の裏面に形成されたガイド穴（図示せず）にはまり込む。そのため、スライダ３３は、ガイドピン３３ｂ及びガイドピン３３ｃにより、上下方向に真っ直ぐにスライドする。
【００２２】
さらにまた、カバー部３１は、フレーム３２の左右に設けられた一対のガイド突起３２ａを開口部３４ａに挿入し、前部キャビネット３４の裏面側に後部キャビネット３５を取り付けることにより、前部キャビネット３４に対して前後にもスライド可能となる。
具体的には、カバー部３１を支持するフレーム３２のガイド突起３２ａが前部キャビネット３４を介して後部キャビネット３５のカバーガイド３５ａ内に位置する。そして、カバーガイド３５ａは、スライダ３３の移動によってガイド突起３２ａが下降すると、カバー部３１を前部キャビネット３４の前方に繰り出すようにガイドする。逆に、ガイド突起３２ａが上昇すると、カバー部３１を前部キャビネット３４側に引き込むようにガイドする。
【００２３】
したがって、カバー部３１は、ボディ１１（図１参照）の前面側を構成する前部キャビネット３４に対して上下方向及び前後方向にスライドする。そして、図１に示すレンズカバー３０の閉状態（レンズカバー３０が上昇した状態）では、レンズカバー３０がボディ１１側に引き込まれ、レンズカバー３０の表面と非開閉前面１１ｂの表面とが同一平面となる。
一方、レンズカバー３０の開状態（レンズカバー３０が下降した状態）では、レンズカバー３０がボディ１１の前方に繰り出し、レンズカバー３０の下部が非開閉前面１１ｂ上に重なるようにして開閉前面１１ａを開放する。
【００２４】
このように、レンズカバー３０（カバー部３１）は、上下にスライドするだけでなく、前後にもスライドするが、前後方向のスライドは、図５に示す第１ガイド部４１、第２ガイド部４２、第３ガイド部４３、及び第４ガイド部４４によって実現される。また、前後方向のスライドを実現しつつ、スライダ３３がボディ１１（図１参照）の内部に食い込まないようにするために、スライダ３３は、板バネ３３ａを有している。さらにまた、図４に示すように、前部キャビネット３４の裏面側には、スライダ押さえ３６が設けられている。
【００２５】
ここで、板バネ３３ａは、カバー部３１とスライダ３３との間に設けられている。そして、前部キャビネット３４の表面に平行な方向に変形せず、前部キャビネット３４の表面に垂直な方向にのみ柔軟に変形する。そのため、板バネ３３ａは、カバー部３１が上下方向にスライドしても変形しないが、前部キャビネット３４の表面に垂直な方向には、折りたたみ可能となっている。
【００２６】
また、スライダ押さえ３６は、前部キャビネット３４の裏面側に設けられ、スライダ３３を移動可能に保持する。さらにまた、スライダ３３の移動位置にかかわらず、スライダ３３と前部キャビネット３４との間隔を一定範囲内に維持する。そのため、カバー部３１が前後方向にスライドした場合、スライダ３３と前部キャビネット３４との間隔は、スライダ押さえ３６によって一定範囲内に維持される。そして、前後のスライド分は、板バネ３３ａの変形によって吸収されることとなる。
【００２７】
さらにまた、前部キャビネット３４とスライダ３３との間には、トグルバネ３７が設けられている。このトグルバネ３７は、カバー部３１を下方にスライドさせた開位置か、又はカバー部３１を上方にスライドさせた閉位置に維持する。そして、開位置と閉位置との位置変更の際に、適度なクリック感を持たせている。そのため、カバー部３１が勝手に動き、撮影者の意図に反して開位置になったり閉位置になったりすることがなくなる。
【００２８】
図６は、本発明のレンズカバーの一実施形態としての、レンズカバー３０の閉状態を示す背面図である。
また、図７は、本発明のレンズカバーの一実施形態としての、レンズカバー３０の開状態を示す背面図である。
図６及び図７に示すように、前部キャビネット３４の内部には、板バネ３３ａによって支持されたスライダ３３が設けられている。そして、スライダ３３のガイドピン３３ｂがスライダ押さえ３６のガイド穴３６ａに挿入されている。
なお、スライダ３３のガイドピン３３ｃ（図５参照）は、後部キャビネット３５に形成されたガイド穴（図示せず）に挿入されている。
【００２９】
ここで、スライダ３３には、トグルバネ３７が取り付けられている。このトグルバネ３７は、バネの一端がスライダ３３に取り付けられ、バネの他端が前部キャビネット３４に取り付けられている。そのため、図６に示すレンズカバー３０の閉状態では、スライダ３３と前部キャビネット３４との位置関係により、トグルバネ３７は、前部キャビネット３４に対してスライダ３３を上向きに付勢する。したがって、カバー部３１（図４参照）は、前部キャビネット３４に対して上方にスライドした閉状態で維持される。
【００３０】
一方、図７に示すレンズカバー３０の開状態では、スライダ３３と前部キャビネット３４との位置関係により、トグルバネ３７は、前部キャビネット３４に対してスライダ３３を下向きに付勢する。したがって、カバー部３１（図４参照）は、前部キャビネット３４に対して下方にスライドした開状態で維持される。
なお、カバー部３１を閉状態から開状態にするには、トグルバネ３７の付勢に反してカバー部３１を下方にスライドさせる。これにより、スライド量が一定以上になれば、トグルバネ３７の付勢方向が反転して、カバー部３１の開状態が維持されるようになる。同様に、カバー部３１を開状態から閉状態にするには、トグルバネ３７の付勢に反してカバー部３１を上方にスライドさせる。これにより、スライド量が一定以上になれば、トグルバネ３７の付勢方向が反転して、カバー部３１の閉状態が維持されるようになる。
【００３１】
また、図６に示すレンズカバー３０の閉状態では、図１の閉状態に示すように、レンズカバー３０の表面と非開閉前面１１ｂの表面とが凹凸のない同一平面となる。逆に、図７に示すレンズカバー３０の開状態では、図１の開状態に示すように、レンズカバー３０が前後にスライドして開閉前面１１ａを開放する。そして、このような前後方向のスライドは、図６及び図７に示すカバーガイド３５ａによって実現される。
そこで次に、レンズカバー３０の上下方向及び前後方向のスライド機構について説明する。
【００３２】
図８は、本発明のレンズカバーの一実施形態としての、レンズカバー３０におけるカバー部３１の閉位置を示す断面図である。
図８は、図６及び図７に示すレンズカバー３０におけるＡ−Ａ' 断面及びＢ−Ｂ' 断面のそれぞれについて、カバー部３１が閉位置にある状態を示している。そして、Ａ−Ａ' 断面の閉位置では、カバー部３１を支持するフレーム３２（図５参照）に形成された第１ガイド部４１がカバーガイド３５ａの第１ガイド斜面５１ａ上に位置する。また、カバー部３１の下部に形成された第２ガイド部４２は、前部キャビネット３４の非開閉前面１１ｂの上部に形成された第２ガイド斜面５２上に位置する。さらにまた、カバー部３１を支持するフレーム３２に形成された第３ガイド部４３は、カバーガイド３５ａの第３ガイド斜面５３上に位置する。
一方、Ｂ−Ｂ' 断面の閉位置では、カバー部３１を支持するフレーム３２に形成された第４ガイド部４４がカバーガイド３５ａの内部空間（前部キャビネット３４とカバーガイド３５ａとによって形成された空間）内にある。
【００３３】
このように、カバー部３１の閉位置では、カバー部３１の第２ガイド部４２と前部キャビネット３４の第２ガイド斜面５２とが当接する。そのため、カバー部３１は、その表面が前部キャビネット３４の非開閉前面１１ｂの表面と同一平面となり、前部キャビネット３４の開閉前面１１ａを覆う。そして、第３ガイド部４３と第３ガイド斜面５３とが当接することにより、カバー部３１のガタつきが防止される。
【００３４】
図９は、本発明のレンズカバーの一実施形態としての、レンズカバー３０におけるカバー部３１の中間位置を示す断面図である。
図９は、図６及び図７に示すレンズカバー３０におけるＡ−Ａ' 断面及びＢ−Ｂ' 断面のそれぞれについて、カバー部３１が閉位置と開位置との中間位置にある状態を示している。
【００３５】
図９に示す中間位置にするには、図８に示す閉位置からカバー部３１を押し下げる。これにより、Ａ−Ａ' 断面では、第１ガイド部４１が第１ガイド斜面５１ａを登り、第１ガイド平面５１ｂ上に位置するようになる。また、第２ガイド部４２が第２ガイド斜面５２から離れ、第３ガイド部４３が第３ガイド斜面５３から離れる。さらにまた、Ｂ−Ｂ' 断面では、第４ガイド部４４がカバーガイド３５ａの内部空間を移動する。
【００３６】
このように、カバー部３１の中間位置では、カバー部３１の第１ガイド部４１が前部キャビネット３４の第１ガイド平面５１ｂ上に位置する。そのため、カバー部３１が下向きに移動すると、カバー部３１が前方（図９では、左方）に繰り出されるようになる。その結果、前部キャビネット３４の開閉前面１１ａが開放されるだけでなく、前部キャビネット３４の非開閉前面１１ｂ上にカバー部３１が重なるようになる。
なお、カバー部３１の中間位置であっても、第４ガイド部４４がカバーガイド３５ａの内部空間（前部キャビネット３４とカバーガイド３５ａとによって形成された空間）内にあるので、カバー部３１が前部キャビネット３４から外れることはない。
【００３７】
図１０は、本発明のレンズカバーの一実施形態としての、レンズカバー３０におけるカバー部３１の開位置を示す断面図である。
図１０は、図６及び図７に示すレンズカバー３０におけるＡ−Ａ' 断面及びＢ−Ｂ' 断面のそれぞれについて、カバー部３１が開位置にある状態を示している。そして、Ａ−Ａ' 断面の開位置では、第１ガイド部４１が第２ガイド斜面５２の近くに位置する。また、第２ガイド部４２は、前部キャビネット３４の非開閉前面１１ｂの上に位置する。さらにまた、Ｂ−Ｂ' 断面では、第４ガイド部４４が前部キャビネット３４の裏面及びカバーガイド３５ａ内の下端面に当接する。
【００３８】
したがって、図１０に示す開位置では、下方にスライドしたカバー部３１が前部キャビネット３４の開閉前面１１ａを開放した状態で止まる。そして、第４ガイド部４４が前部キャビネット３４の裏面に当接するので、カバー部３１が前部キャビネット３４から外れることはない。
【００３９】
一方、図１０に示す開位置から図８に示す閉位置に戻すには、図１０に示す開位置からカバー部３１を押し上げる。これにより、第１部材４１は、第１ガイド平面５１ｂ上を上に向かって移動し、図９に示す中間位置のようになる。この中間位置では、図４に示す板バネ３３ａ及びカバーガイド３５ａの作用により、カバー部３１の上部が前部キャビネット３４の開閉前面１１ａに向かって傾斜する。そして、第１ガイド部４１が第１ガイド斜面５１ａに到達すると、第１ガイド部４１は、第１ガイド斜面５１ａにそって移動するようになる。同様に、第２ガイド部４１が第２ガイド斜面５２に到達すると、第２ガイド部４２は、第２ガイド斜面５２にそって移動し、第３ガイド部４３が第３ガイド斜面５３に到達すると、第３ガイド部４３は、第３ガイド斜面５３にそって移動するようになる。したがって、カバー部３１は、図８に示す閉位置に戻る。
【００４０】
このように、カバー部３１が図８に示す閉位置に戻り、開閉前面１１ａを閉じると、カバー部３１の表面と非開閉前面１１ｂの表面とが同一平面になる。そして、本実施形態のレンズカバー３０は、図８に示すカバー部３１の閉位置においても、スライダ３３（図５参照）がボディ１１（図１参照）の内部に食い込まないようになっている。
【００４１】
図１１は、本発明のレンズカバーの一実施形態としての、レンズカバー３０におけるスライダ３３の側面図である。
また、図１２は、本発明のレンズカバーの一実施形態としての、レンズカバー３０におけるスライダ３３の断面図である。
なお、図１２は、図１１に示すスライダ３３におけるＣ−Ｃ' 断面を示している。
【００４２】
図１１に示すように、スライダ３３は、カバー部３１の裏面側に取り付けられている。そして、カバー部３１を上下方向（図１１では、紙面に垂直な方向）にスライドさせるためのガイドピン３３ｂ及びガイドピン３３ｃとカバー部３１との間には、板バネ３３ａが設けられている。この板バネ３３ａは、カバー部３１の表面に平行な方向（図１１の紙面の左右方向及び紙面に垂直な方向）に変形せず、カバー部３１の表面に垂直な方向（図１１の紙面の上下方向）にのみ変形する。
【００４３】
したがって、図１１に示す開状態では、図１０に示すように、第１ガイド部４１が第１ガイド平面５１ｂ上に位置し、第４ガイド部４４が前部キャビネット３４の裏面側に当接してカバー部３１が前方（図１０では、左方）に繰り出されるので、板バネ３３ａが開いた状態となる。逆に、図１１の閉状態では、図８に示すように、第１ガイド部４１が第１ガイド斜面５１ａ上に位置し、第４ガイド部４４がカバーガイド３５ａに当接してカバー部３１が後方（図８では、右方）に引き込まれることとなり、板バネ３３ａが閉じた状態となる。
【００４４】
このように、本実施形態のレンズカバー３０は、スライダ３３の板バネ３３ａによってカバー部３１が保持されている。これにより、図１２（図１１のＣ−Ｃ' 断面）に示すように、カバー部３１が開位置にあるときと閉位置にあるときとで、前部キャビネット３４内のガイドピン３３ｂ及びガイドピン３３ｃの位置が変わらない。
具体的には、スライダ３３は、前部キャビネット３４との間隔が一定になるように維持されている。そして、カバー部３１が開位置にあるときは、板バネ３３ａの変形によってフレーム３２が前方（図１２では、上方）に飛び出し、カバー部３１は、開閉前面１１ａを開放するとともに、非開閉前面１１ｂ上に位置する。
【００４５】
また、スライダ３３は、ガイドピン３３ｂ及びガイドピン３３ｃによってガイドされながらスライダ押さえ３６の表面にそってスライドする。そして、カバー部３１が閉位置になっても、板バネ３３ａがカバー部３１の厚み方向に折りたたまれるので、スライダ３３（ガイドピン３３ｂ及びガイドピン３３ｃ）は、カバー部３１が開位置にあるときと同様に、前部キャビネット３４とスライダ押さえ３６との間に保持される。そのため、スライダ３３が前部キャビネット３４の内部に食い込むことはない。
【００４６】
さらにまた、フレーム３２は、前部キャビネット３４に向けて引き込まれ、開閉前面１１ａを覆うとともに、カバー部３１の表面と非開閉前面１１ｂの表面とが凹凸のない同一平面となる。そのため、携帯性の向上を図ることができるだけでなく、デザイン性が高められている。
【００４７】
以上、本発明の実施形態について説明したが、本発明は、上述した実施形態に限定されることなく、種々の変形が可能である。例えば、実施形態では、撮像装置として、デジタルスチルカメラ１０を例に挙げている。しかし、これに限らず、デジタルビデオカメラやカメラ付き携帯電話等の撮像装置にも広く適用可能である。
【符号の説明】
【００４８】
１０  デジタルスチルカメラ（撮像装置）
１１ａ  開閉前面
１１ｂ  非開閉前面
２１  レンズ
３１  カバー部
３２  フレーム
３２ａ  ガイド突起
３３  スライダ
３３ａ  板バネ
３３ｂ  ガイドピン
３３ｃ  ガイドピン
３４  前部キャビネット
３５  後部キャビネット
３５ａ  カバーガイド
３６  スライダ押さえ（スライダ保持部）
３６ａ  ガイド穴
３７  トグルバネ
【図１】
2010210936.tif 000003
【図２】
2010210936.tif 000004
【図３】
2010210936.tif 000005
【図４】
2010210936.tif 000006
【図５】
2010210936.tif 000007
【図６】
2010210936.tif 000008
【図７】
2010210936.tif 000009
【図８】
2010210936.tif 000010
【図９】
2010210936.tif 000011
【図１０】
2010210936.tif 000012
【図１１】
2010210936.tif 000013
【図１２】
2010210936.tif 000014